(57)【要約】 【課題】  並列設置される建材マット下面への水漏れを抑制する。【解決手段】  建材マット１０を隣り合わせた状況では、左側の建材マット１０（左方マット１０Ｌ）が有する目地部３０に、右側の建材マット１０（右方マット１０Ｒ）のタイルＴがその側面を密着させる。左方マット１０ＬのタイルＴは、その下端縁において、右方マット１０Ｒが目地部３０の底部より突出した段部３２に下支えされる。この状態では、水密凹条３４に水密凸条４０が係合（嵌合）して入り込み、右方マット１０Ｒでは、タイル外縁に辺に亘って水密な係合状態とされる。【選択図】        図７
2005098044.tif 000002
【特許請求の範囲】
【請求項１】
板状の建材を、その表面が露出するように、樹脂部材に一体化させて接合して備える方形の建材マットであって、
前記樹脂部材は、
目地部と、
前記建材を下支えする支持部と、
建材マットを連結するための連結手段と、
連結される建材マット間をシールして水密性を確保するために布設された水密手段とを備え、
該水密手段は、
建材マット外周の隣接する２辺に沿って延びた凸条と、
建材マット外周の他の２辺に設けられ、連結時に他の建材マットの前記凸条と水密に係合可能な凹条とを配してなることを特徴とする
建材マット。
【請求項２】
請求項１記載の建材マットであって、
前記連結手段は、
隣接する２辺の外周端面に、他の建材マットを連結するために突出して形成された複数の嵌合凸部と、
他の２辺の外周端面に形成され、連結時に他の建材マットの嵌合凸部と互いに嵌合可能な複数の嵌合凹部とを配してなる
建材マット。
【請求項３】
請求項１または請求項２記載の建材マットであって、
前記樹脂部材の外周端面の下部に連結手段を配し、上部に水密手段を配してなる
建材マット。
【請求項４】
請求項1記載の建材マットであって、
前記建材マットは、
前記建材と前記目地部とを含む方形の表層部と、
該表層部と同一外寸の前記支持部と、連結手段とを含む基部とを含んでなり、
該基部は、
前記表層部の下方に位置し、
前記表層部表面の隣接する２辺に挟まれた角を基準にして、対角線方向に一定幅ずらしたことによって、前記建材マット外周の隣接する２辺に、前記表層部から突出した段部を形成する
建材マット。
【請求項５】
請求項４記載の建材マットであって、
前記水密手段は、
前記基部が形成する前記段部の上面、および、前記表層部の底面に配設されている
建材マット。
【請求項６】
請求項４記載の建材マットであって、
前記水密手段は、
前記表層部および／または前記支持部の外周端面に配設されている
建材マット。
【請求項７】
請求項４記載の建材マットであって、
前記連結手段は、
前記支持部に配設されてなり、
前記支持部の外周端面のうち、前記段部が形成されている側の２端面から平面方向に突出した複数の嵌合凸部と、
前記支持部の他の２端面に配設され、連結時に他の建材マットの前記嵌合凸部と互いに嵌合可能な複数の嵌合凹部とを有する
建材マット。
【請求項８】
請求項５記載の建材マットであって、
前記水密手段は連結手段を兼用する
建材マット。
【請求項９】
請求項１ないし請求項８いずれか記載の建材マットであって、
前記建材を、一枚または複数枚、前記樹脂部材に一体化させて接合して備える
建材マット。
【請求項１０】
請求項１ないし請求項９いずれか記載の建材マットであって、
前記樹脂部材は、熱可塑性エラストマーであり、少なくとも表面において非発泡性を呈する
建材マット。
【発明の詳細な説明】
【技術分野】
【０００１】
本発明は、建材を樹脂マットに載置し、該建材の縦横方向に並列可能とする建材マットに関する。
【背景技術】
【０００２】
従来、建材（例えば、タイル）の床面施工に際しては、モルタル等の下地に建材を規則正しく多列に並べ、モルタルの養生が必要であった。こうした施工手法では、建材の多列配置等に熟練を必要とするため、施工性向上の観点から建材を樹脂マットに載置してこれを並べる建材マットが種々提案されるに至った（例えば、特許文献１）。また、浴室等の水回り部位の床では、微生物の繁殖・石鹸等による汚濁が目地に起きるので、タイル交換を簡便とするための建材マットも提案されている（例えば、特許文献２）。
【０００３】
【特許文献１】特開平６−１０４８１号公報
【特許文献２】特開平１０−２５９６５６号公報
【発明の開示】
【発明が解決しようとする課題】
【０００４】
しかしながら、上記公報で提案された建材マットでは、タイルが縦横に並ぶよう建材マットを複数枚並べた場合、建材マット同士の繋ぎ箇所では、マット下面への水の漏れが起きる。このため、床下地への漏れ水による悪影響（例えば、水による床下地材の腐敗や割れ、水腐敗による臭気やぬめりの発生等）が起きる余地があった。
【０００５】
本発明は、上記問題点を解決するためになされ、建材マット下面への水漏れを抑制することを目的とする。
【課題を解決するための手段】
【０００６】
かかる課題の少なくとも一部を解決するため、本発明の建材マットは、板状の建材を、その表面が露出するように、樹脂部材に一体化させて接合して備える方形の建材マットであって、
樹脂部材は、目地部と、前記建材を下支えする支持部と、建材マットを連結するための連結手段と、連結される建材マット間をシールして水密性を確保するために布設された水密手段とを備え、
該水密手段は、建材マット外周の隣接する２辺に沿って延びた凸条と、建材マット外周の他の２辺に設けられ、連結時に他の建材マットの前記凸状と水密に係合可能な凹状とを配してなることを特徴とする。
【０００７】
樹脂部材は、建材とともに一体化されているので、水密パッキン等のパーツの張り合わせが不要である。これにより、製造工程が簡素化されるばかりでなく、継ぎ目がないので水密性の向上にも貢献する。樹脂部材と建材の一体化には、射出成形が簡便である。
【０００８】
ここで、目地部は、建材外縁の辺に沿って建材底面側から隆起して建材側面に密着することが、見栄えや建材保持の観点から好ましい。
【０００９】
こうして建材を備えた建材マット同士は、それぞれが有する連結手段にて連結され、載置対象となる床に載置される。ところで、本発明は、後述の水密手段を有することから、浴室床や洗面所床、キッチン床等、水はねの起き得る床での使用により有益である。
【００１０】
こうして建材を下支えし隣り合う建材マットが連結された状態では、一の建材マットにおける水密手段が有する凸条と、連結された他の建材マットにおける水密手段の凹条とが、建材マット外周の隣接する２辺に沿って嵌合しあい、一の建材マットにおける水密手段が有する凹条と、連結された他の建材マットにおける水密手段の凸条とが、建材マット外周の他の２辺に沿って水密に係合し合う。これにより、連結された建材マットにおいては、その建材マット同士が水密に係合し、その係合領域は、建材マットの四方の辺に亘った領域となる。よって、建材マットを複数枚並べた状態における建材マット同士の繋ぎ箇所では、たとえ水が侵入しても、この侵入した水は、水密手段による水密な係合領域で止められ、当該領域を越えてマット下面へは達しない。この結果、本発明の建材マットによれば、建材マットが敷設される床下地への漏れ水を抑制でき、この漏れ水による悪影響を回避できる。
【００１１】
上記の構成を有する本発明の建材マットは、以下の態様を採ることもできる。即ち、前記連結手段を、隣接する２辺の外周端面において他の建材マットを連結するために突出して形成された複数の嵌合凸部と、他の２辺の外周端面に形成され連結時に他の建材マットの嵌合凸部と互いに嵌合可能な複数の嵌合凹部とを配してなるものとできる。こうすれば、建材マットを位置ズレしないように簡便に連結できる。また、上記した水密手段の凸条・凹条には、こうした建材マットの位置ズレ防止の用途が不要であるので、水密係合に関与する部位（即ち水密手段の凸条・凹条）を、水密係合用のためだけの形状とするだけで済む。よって、形状の単純化と、これに伴う製造の簡便化を図ることができる。
【００１２】
また、前記樹脂部材の外周端面の下部に連結手段を配し、上部に水密手段を配してなるものとできる。こうすれば、建材の表面側で漏れ水抑制を図ることができる。
【００１３】
更に、前記建材と前記目地部とを含む方形の表層部と、該表層部と同一外寸の前記支持部と前記連結手段とを含んで、前記表層部の下方に位置する基部とを形成するようにし、該基部を、前記表層部表面の隣接する２辺に挟まれた角を基準にして、対角線方向に一定幅ずらしたことによって、前記建材マット外周の隣接する２辺に、前記表層部から突出した段部を形成するようにすることもできる。こうすれば、この段部で隣の建材マットにおける建材の下支えをすることもできる。
【００１４】
そして、このようした上で、水密手段を、前記基部が形成する前記段部の上面、および、前記表層部の底面に配設することもできる。こうすれば、段部と表層部の上下の重なり部分で水密化をもたらし、漏れ水抑制を図ることができる。
【００１５】
また、前記水密手段を、前記表層部および／または前記支持部の外周端面に配設するようにすることもできる。
【００１６】
また、建材マットを連結する前記連結手段を、前記支持部に配設させ、支持部の外周端面のうち、前記段部が形成されている側の２端面から平面方向に突出した複数の嵌合凸部と、前記支持部の他の２端面に配設され、連結時に他の建材マットの前記嵌合凸部と互いに嵌合可能な複数の嵌合凹部とを有するものとすることができる。こうすれば、より確実に建材マットを連結できる。
【００１７】
また、水密手段で連結手段を兼用するようにすれば、より簡便に建材マット設置ができる。
【００１８】
上記した他、前記建材を、一枚または複数枚、前記樹脂部材に一体化させて接合して備えるようにすることもできる。このように建材を複数枚備えるものにあっては、目地部は、同じ建材マットにおける建材間の目地となるようにすることが好ましい。こうすれば、建材マット単独での見栄えはもちろん、建材マットを並べた場合における見栄えも高めることができる。
【００１９】
また、樹脂部材を熱可塑性エラストマーから形成するようにし、少なくともその表面については非発泡性とすることが好ましい。こうすれば、樹脂表面において細菌の繁殖の巣となる微小凹部（孔）をほぼなくすことができるので、衛生的である。また、水が残ることによるぬめりの発生も抑制できる。なお、樹脂部材の表面を非発泡性とするに際しては、樹脂部材そのものを非発泡性として部材全体に非発泡性を呈するようにすることが、製造上簡便でありより好ましい。
【発明を実施するための最良の形態】
【００２０】
次に、本発明に係る建材マットの実施の形態を実施例に基づき説明する。図１は実施例の建材マット１０の概略を示す斜視図、図２は建材マット１０の施工の様子を示す説明図である。
【００２１】
建材マット１０に適用可能な建材は板状であることが好ましい。材質は特に限定されないが、タイル等の窯業系建材、石材、金属系建材、樹脂建材、木材、いずれも適用が可能である。表面は必ずしも平坦である必要はなく、意匠性や滑り止め性を考慮した凹凸模様が付与されていても良い。
【００２２】
建材マット１０に適用可能な建材は、段部を建材表面側縁部に設けたり、断面形状の上辺（すなわち表面側）を下辺（すなわち底面側）よりも短くしたりしても良い。建材の断面形状を凸形状や台形とすることで、後述するような方法で建材マットを成型すると、樹脂部材の目地部が建材に食い込む形態となり、物理的にタイルと樹脂部材とを結合することができる。
【００２３】
図１に示すように、建材マット１０は、板状の建材である正方形の一枚のタイルＴをマット状の樹脂部材２０に載置し、図２に示すようにタイルＴの縦横方向に並列するためのものである。こうしてタイルＴを並列させる場合、隣り合うタイル間の目地ＭＪ（図２参照）は、後述するように建材マット１０で形成される。つまり、タイル施工に際して目地ＭＪ形成を要しない。
【００２４】
次に、樹脂部材２０について説明する。図３は建材マット１０の表面と裏面を示す説明図、図４は図３の４−４線断面を一部拡大図と共に示す断面図、図５は図３の５−５線断面を一部拡大図と共に示す断面図である。なお、図３においては、建材マット１０を平面視および裏面視した場合にタイルＴを視認できる領域について、その外縁を斜線で示すこととした。つまり、平面視であれば、タイルＴの上面が総て見え、裏面視した場合には、タイルＴは樹脂部材２０で遮られていない部分しか見えないことになる。
【００２５】
図示するように、樹脂部材２０は、タイルＴと一体化した基部２２を備える。基部２２は、図３の裏面図に示すように、タイルＴの外縁を支える枠状の支持部２４と、枠内で交差してタイルＴの内側部分を支える脚２６とを有する。また、図３の表面図に示すように、樹脂部材２０は、タイルＴがなす四方の外縁の辺の隣り合う２辺（辺Ｔ１、辺Ｔ２）の側に、目地部３０を有する。この目地部３０は、タイルＴの側面に密着するよう支持部２４からタイル外縁の辺Ｔ１、辺Ｔ２に沿って隆起し、並列される他の建材マット１０が有するタイルＴとの間の目地ＭＪとなる。そして、この目地部３０は、タイルＴと共に、建材マットの表層部となる。
【００２６】
樹脂部材２０は、目地部３０の底部から外側方にタイル外縁の辺Ｔ１、辺Ｔ２に沿って延びた段部３２、３３を有する。また、この段部の上面には、タイル外縁の辺Ｔ１、Ｔ２に沿って延びた、溝形状の水密凹条３４を有する。本実施例では、水密凹条の両側において、目地部３０に近い側を一段高くして段部３２とし、外側を段部３３として、段部にさらに段差を持たせた。この段部は、並列される他の建材マット１０が有する表層部の底面を、その外縁の辺に亘って下支えする。
【００２７】
図示するように、樹脂部材２０は、段部３３と同じ厚みで当該段部から外側方に延びた台形状の嵌合凸部３６を、タイル外縁の辺Ｔ１、辺２に等ピッチで有する。この嵌合凸部３６は、隣り合う建材マット１０を連結させるためのものである。
【００２８】
さらに、この嵌合凸部３６は、連結時、建材マット側面の水密性を高めるために、隣接する建材マット同士を互いに押圧するように連結し、また、引き離す力に対して抗うことができるような形状であれば良い。具体的には、図示した台形形状以外に、その他の異形形状を採ることができ、支持部２４から外側方に広がる形状であることが望ましい。あるいは嵌合凸部３６の上面に係止突起が設けられていても良い。この場合、嵌合凸部３６の厚みは段部３３よりも薄くても良く、また、上面形状は限定されない。
【００２９】
樹脂部材２０は、タイルＴがなす四方の外縁の辺の残りの隣り合う２辺（辺Ｔ３、辺Ｔ４）の側に、表層部底面から突出した凸状の水密凸条４０を有する。この水密凸条４０は、タイル外縁の辺Ｔ３、辺Ｔ４に亘ってタイル底面から突出し、並列される他の建材マット１０が有する段部３２上面の水密凹条３４に水密に係合する。こうした水密係合を確保するため、本実施例では、水密凹条３４の溝幅・長さを水密凸条４０の凸幅・長さに一致させるようにした。
【００３０】
この水密凸条４０は、タイル底面に独立で形成されているのではなく、樹脂部材２０の縁部に位置する。つまり、水密凸条４０は、その係合対象である水密凹条３４の両側で上記したような段差があるので、図５に示すように、段部３３が入り込む溝４１を介在させて樹脂部材２０の縁部に位置する。また、樹脂部材２０は、支持部２４において、タイル外縁の辺Ｔ３、辺Ｔ４に沿って、上記した嵌合凸部３６が入り込みこれと嵌合する嵌合凹部３８を有する。この嵌合凹部３８は、溝４１と同じ厚みで連続することから、図４に示すように、水密凸条４０は嵌合凹部３８を介在させて樹脂部材２０の縁部に位置することになる。
【００３１】
上記構成を有する樹脂部材２０は、熱可塑性エラストマーを後述の成形型に注入して形成される。本実施例では、この熱可塑性エラストマー選定に当たり、非発泡性のものとすると共に、以下の表１に示すような性状を呈するようにした。
【００３２】
【表１】
2005098044.tif 000003
【００３３】
非発泡性であること、および上記した性状の観点から、本実施例では、樹脂部材２０を、オレフィン系エラストマーを用いて形成した。この他、スチレン系及びポリエステル系エラストマー等を用いることもできる。また、タイルと樹脂部材との接合強度を高めるために、樹脂材料にはシランカップリング剤やチタネートカップリング剤を添加することもできる。
【００３４】
ここで、建材マット１０の製造工程について簡単に説明する。図６は建材マット１０の製造工程を説明するための説明図である。
【００３５】
図示するように、まず、金型Ｋ１にタイルＴを表面を下にしてセットする（ステップＳ１）。金型Ｋ１の底面には、シリコン樹脂シートが型締め・樹脂注入時の荷重受けとして載置されている。この金型Ｋ１は、タイルＴの外縁の２辺の側面に密着して目地部３０を形成できるよう、図示するようにタイル外縁にキャビティ形成の余地を有する。また、金型Ｋ１は、その内側に、段部３２、３３や水密凹条３４、および嵌合凸部３６を形成するための金型面を有する。
【００３６】
ここで、タイルＴは、少なくとも底面および側面に、シランカップリング剤、チタネートカップリング剤、プライマー等を予めコーティングしておいても良い。コーティング処理によって、樹脂部材２０との接合強度を高めることが可能となる。また、シリコーン樹脂シート表面は、タイル表面の形状に応じて凹凸をつけたり、樹脂がタイル表面に回りこまないように目地部やタイル表面の外周部が接する部位を凸設したりしても良い。
【００３７】
タイルセットに続いては、上型Ｋ２をタイルＴに被せて、型締めする（ステップＳ２）。この上型Ｋ２は、タイル底面（図示する上側の面）の側に、樹脂部材２０、詳しくはタイル底面側に位置する基部２２の支持部２４や、脚２６、嵌合凹部３８および溝４１を形成するための金型面を有し、金型Ｋ１に型締めされることで、上記各部位のキャビティを金型Ｋ１と協働して形成する。
【００３８】
型締め後は、上型Ｋ２の樹脂注入孔から熱可塑性エラストマーを注入して、キャビティ内に樹脂を射出する（ステップＳ３）。その後、樹脂硬化を待って型外しを行い（ステップＳ４）、射出成型品を取り出す（ステップＳ５）。こうした一連の工程により、タイルＴを樹脂部材２０に一体とし、この樹脂部材２０を上記した各部位を備えるものとする。
【００３９】
こうして完成した建材マット１０で床面、例えば浴室内床面を施工するには、図２に示すように、建材マット１０を順次並べて行く。今、隣り合う建材マット１０について考える。図７は嵌合凸部３６と嵌合凹部３８の嵌合箇所におけるタイルＴの支えの様子と水密凹条３４と水密凸条４０の係合の様子を示す説明図、図８は嵌合凸部３６と嵌合凹部３８の係合箇所以外の箇所におけるタイルＴの支えの様子と水密凹条３４と水密凸条４０の係合の様子を示す説明図である。
【００４０】
図示するように、建材マット１０を隣り合わせた状況では、図中左側の建材マット１０（左方マット１０Ｌと呼ぶ）が有する目地部３０に、図中右側の建材マット１０（右方マット１０Ｒと呼ぶ）のタイルＴがその側面を密着させる。つまり、目地部３０を挟んでタイルＴが位置し、目地部３０がタイル間の目地となる。左方マット１０ＬのタイルＴは、その下端縁において、右方マット１０Ｒが目地部３０の底部に有する段部３２に下支えされる。
【００４１】
こうしてタイルＴを下支えした状態では、段部３２、３３上面の水密凹条３４に水密凸条４０が係合（嵌合）して入り込む。そして、両凹条・凸条はタイルＴの外縁の辺に亘っていることから、右方マット１０Ｒでは、タイル外縁の辺に亘って水密な係合状態とされ、左方マット１０Ｌは、自身の目地部３０とタイルＴとの間を、上記製造手法（射出成形）により水密とする。従って、建材マット１０を複数枚並べた状態における建材マット同士の繋ぎ箇所、即ち、上記した目地部３０の箇所では、タイル外縁に亘って水密な係合領域となるので、目地部３０とタイルＴとの間にたとえ水が侵入しても、この侵入した水は、水密凹条３４と水密凸条４０の水密な係合領域で止められ、当該領域を越えてマット下面へは達しない。しかも、本実施例では、水密凸条４０に続く溝４１においても、タイル外縁の辺に亘って段部３３を水密に係合させるので、マット下面への水の到達をより確実に回避できる。嵌合凸部３６と嵌合凹部３８を嵌合させた箇所でも同様である。よって、本実施例の建材マット１０によれば、建材マット１０が敷設される床下地（浴室内の床下地）への漏れ水を確実に抑制でき、この漏れ水による悪影響回避の実効性を高めることができる。
【００４２】
こうした水密は、水密凹条３４の両側面と底面が水密凸条４０の両側面と頂上面に接合することで確保される。よって、上記した漏れ水回避はより確実となる。この場合、水密凹条３４の溝幅を水密凸条４０の凸幅より狭くして、いわゆる締まり嵌めとすることもできる。こうすれば、水密もより確実となる。
【００４３】
また、本実施例では、樹脂部材２０を上記した性状（表面硬度・曲げ弾性率）のものとした。よって、建材マット１０を並べるに当たって、目地部３０を隣の建材マット１０のタイルＴで押し付け、目地部３０に緊張を与えることができる。このため、目地部３０にタイルＴの側面を密着させたときの密着の度合いが高まり、目地部分からの水の侵入を有効に回避できる。この点も、上記したマット下面への漏れ水を抑制する上で好ましい。しかも、上記した性状により、建材マット１０の上を歩く際の衝撃を緩和でき、好ましい。
【００４４】
本実施例では、水密凹条３４と水密凸条４０の係合に加え、台形形状の嵌合凸部３６までも嵌合凹部３８に嵌合させている。よって、隣り合う建材マット１０の位置ズレを有効に回避できる。しかも、水密凹条３４と水密凸条４０との係合に対して、マットの位置ズレに対する配慮が不要であるので、水密凹条３４と水密凸条４０を単純な凹凸形状とすれば足り、製造の簡便化を図ることができる。例えば、金型形状を単純とでき、型製造の簡便化を図ることができる。
【００４５】
また、樹脂部材２０の材料を非発泡性としたので、樹脂部材２０の表面には、微少の凹所（気孔跡）を有しない。よって、樹脂部材２０における目地部３０表面（上面）では、細菌の繁殖による汚れや水が残ることによるぬめりを回避でき、衛生的である。
【００４６】
しかも、タイルＴをその下面から樹脂部材２０の基部２２で支えるに当たり、タイルＴ下面に交差状の脚２６を用いた。よって、建材マット１０にかかる耐荷重を確保した上で、樹脂部材２０の製造に用いる樹脂量を少なくできる。
【００４７】
また、本実施例では、樹脂部材２０を既述した射出成型で形成するので、その構成部材である基部２２や支持部２４、脚２６の他、目地部３０、段部３２、３３や水密凹条３４、嵌合凸部３６等の各部材が一体となった単一品とした。つまり、樹脂部材２０は、一度の射出成形工程で上記の総ての部材を備えたものとなり、各部材が呈する機能（水密凹条３４や嵌合凸部３６による水密機能等）を有することになる。しかも、タイルＴとの一体化も同時に行われるので、樹脂部材２０へのタイルＴの装着といった作業も不要となり、好ましい。
【００４８】
次に、上記した建材マット１０の変形例について説明する。図９は変形例における水密凹条３４と水密凸条４０の係合の様子を示す説明図、図１０は変形例における嵌合凸部３６と嵌合凹部３８の嵌合箇所以外での水密凹条３４と水密凸条４０の係合の様子を示す説明図である。
【００４９】
図示するように、この変形例では、水密凹条３４の両側で段部３２を同じ高さとした。そして、嵌合凸部３６は段部３２と同じ高さで側方に突出し、嵌合凹部３８は、タイルＴの底面を露出して形成されている。こうした水密凹条３４の周辺形状に合わせ、水密凸条４０は、タイルＴの外縁に一条の凸条として独立に形成されている。こうしても、水密凹条３４と水密凸条４０の水密係合（嵌合）により、上記した効果を奏することができる。
【００５０】
また、水密凹条３４における溝のタイル寄り側面を目地部３０の側面と面一に繋がるように形成することもできる。つまり、水密凹条３４の外側にのみ段部３２がくるようにする。こうしても、隣の建材マット１０におけるタイルＴは、水密凹条３４の外側における段部３２で下支えされ、上記した水密係合に伴う効果を奏することができる。
【００５１】
上記した建材マット１０の変形例における他の態様として、目地部３０を、辺Ｔ１、辺Ｔ２に設けた上記例以外にも、タイルＴ外縁の隣接する２辺（例えば、辺Ｔ３と辺Ｔ４、辺Ｔ１と辺Ｔ４、辺Ｔ２と辺Ｔ３）に、あるいはタイルＴ外縁の３辺に設けても良い。
【００５２】
上記した建材マット１０の変形例における他の態様として、目地部３０をタイルＴ外縁の四方を取り囲むように設けても良い。図１１は変形例の他の態様における表面と断面とを示す説明図である。
【００５３】
図示すように、目地部３０をタイルＴの四周に構成することで、タイルＴ外縁の隣接する２辺に目地部を設けた上記例に比べて樹脂の成型収縮を抑えることが可能となる。したがって、水密凸条４０、水密凹条３４、嵌合凸部３６、および嵌合凹部３８の位置ズレに伴う建材マット同士の水密係合不良や嵌合不良を抑止することができる。
【００５４】
目地部３０をタイルの四周に構成する場合、タイルＴは、段部を建材表面側縁部に設けたり、断面形状の上辺（表面側）を下辺（底面側）よりも短くしたりしても良い。図１２は、変形例の他の態様において、表面に段部を有するタイルを用いた事例の断面を一部拡大図と共に示した説明図である。
【００５５】
図示するように、タイルＴ表面側縁部に段部ＴＤを設け、タイルＴの断面形状を凸形状とすることで、上記した方法で成型することにより、目地部３０が建材に食い込む形態となり、タイルＴが樹脂部材２０によって係止される。したがって、タイルＴと樹脂部材２０との接着性が低いような場合においても、物理的にタイルと樹脂部材とを結合することができる。
【００５６】
上記した建材マット１０の変形例における他の態様として、嵌合凸部３６の厚みは、段部３２、または段部３３よりも薄くても良い。この場合、嵌合凸部３６の底面は、支持部２４の底面と繋がるように形成することが好ましい。
【００５７】
上記した建材マット１０の変形例における他の態様として、水密凸条４０を段部３２、３３の上面に設けても良い。この際、水密凹条３４を設けるためには、タイルＴ底面の少なくとも周縁部を樹脂部材にて裏打ちし、この裏打ち部に、隣り合う建材マット１０の水密凸条と水密に係合するように水密凹条３４を設ける。ここでは、タイルＴ、目地部３０と共に、裏打ち部を備えて表層部を形成する。
【００５８】
上記した建材マット１０の変形例における他の態様として、水密手段、すなわち、水密凹条３４、水密凸条４０を、表層部の側面および／または支持部２４側面に設けても良い。表層部の側面において、目地部３０がタイルＴ外縁の四方を取り囲むように設けられている場合は、水密凹条３４、ならびに水密凸条４０は、目地部３０の外周端面に設けることができ、目地部３０がタイルＴ外縁の隣接する２辺に設けられている場合は、タイルＴ底面の少なくとも周縁部を樹脂部材にて裏打ちし、この裏打ち部の側面に、水密凹条３４、水密凸条４０を設けることができる。ここでは、タイルＴ、目地部３０と共に、裏打ち部を備えて表層部を形成する。また、水密手段を支持部２４側面に設ける場合は、水密凹条３４、ならびに水密凸条４０は、支持部側面の上部に設け、下部に連結手段を設ければ良い。
【００５９】
次に、第２実施例について説明する。この第２実施例は、表層部から突出した段部を形成しない点に特徴がある。そのため、水密化は樹脂部材の側面で図ることになる。図１３は第１実施例の図７に相当し第２実施例の建材マット１００の接合の様子を説明する説明図、図１４は第１実施例の図８に相当し図１１と異なる箇所でのマット接合の様子を説明する説明図である。
【００６０】
図示するように、この第２実施例の建材マット１００では、タイルＴの外縁を目地部で取り囲み、タイル側面の四方を目地部に密着させる。この目地部は支持部１２０からタイル外縁の辺に沿って隆起しており、隣り合う建材マット１００とでタイル間目地を形成する。
【００６１】
支持部１２０は、外縁の隣り合う２辺に嵌合凸部３６を備え、他の隣り合う２辺に嵌合凹部３８を備え、嵌合凹部３８に連設して第１目地部１３０を有する（図１３参照）。なお、図１４に示すように、嵌合凹部３８のない箇所では、第１目地部１３０は、支持部１２０から直接隆起している。また、他の隣り合う２辺においては、上記の第１目地部１３０と接合してタイル間目地を形成するための第２目地部１３２を有する。従って、建材マット１００を並べて設置し、第１、第２の目地部を接合させると、隣り合う建材マット１００においてタイル間目地が形成される。
【００６２】
また、建材マット１００は、第１目地部１３０の側面にタイル外縁の辺に亘って凸状に横方向に延びた水密凸条１３３を備え、第２目地部１３２の側面に、水密凸条１３３と水密に係合または嵌合する水密凹条１３４を有する。この水密凹条１３４にあっても、タイル外縁の辺に亘って横方向に延びている。
【００６３】
この第２実施例では、上記したように建材マット１００を並べて第１、第２の目地部を接合した状態で、水密凸条１３３と水密凹条１３４をタイル外縁の辺に亘って水密に係合させる。よって、この第２実施例にあっても、第１実施例と同様、水がマット下面へは達しないようにできるので、上記した漏れ水による悪影響を回避できる。
【００６４】
次に、上記した建材マット１００の変形例について説明する。建材マットの目地部は、第１実施例で示したように、タイルＴ外縁の隣り合う２辺に沿って隆起し、他の２辺は目地部を形成しない構成としても良い。目地部を構成しない２辺については、支持部側面がタイル側面と面一に繋がっている。ここで、水密手段は、支持部側面の上部に設け、連結手段を支持部側面の下部に設けることが好ましい。
【００６５】
以上本発明の実施例について説明したが、本発明は上記の実施例や実施形態になんら限定されるものではなく、本発明の要旨を逸脱しない範囲において種々なる態様で実施し得ることは勿論である。
【００６６】
例えば、上記した実施例では、タイルＴを一枚載置した建材マットについて説明したが、タイルＴを複数枚、例えば、図１５に示すように縦横３列ずつ載置した建材マットとすることができる。この場合には、建材マット１０に含まれる各タイル間において、目地ＭＪを交差状に形成し、この目地ＭＪを目地部３０に連設すればよい。
【００６７】
本実施例の建材マットは、浴室床のほか、洗面所やキッチン等の床のように水はねが起き得るような床や、表面が水洗いされるような床（例えば、トイレ床、玄関床）、壁面、腰壁、室外（例えば、ベランダ、テラス、庭）等に適用できる。
本実施例の建材マット１０は、縦横に容易に配列、連結が可能なので、施工者の熟練を要することなく簡便にリフォームやガーデニングを行なうことができる。
【図面の簡単な説明】
【００６８】
【図１】実施例の建材マット１０の概略を示す斜視図である。
【図２】建材マット１０の施工の様子を示す説明図である。
【図３】建材マット１０の表面と裏面を示す説明図である。
【図４】図３の４−４線断面を一部拡大図と共に示す断面図である。
【図５】図３の５−５線断面を一部拡大図と共に示す断面図である。
【図６】建材マット１０の製造工程を説明するための説明図である。
【図７】嵌合凸部３６と嵌合凹部３８の係合箇所におけるタイルＴの支えの様子と水    密凹条３４と水密凸条４０の係合の様子を示す説明図である。
【図８】嵌合凸部３６と嵌合凹部３８の係合箇所以外の箇所におけるタイルＴの支え    の様子と水密凹条３４と水密凸条４０の係合の様子を示す説明図である。
【図９】変形例における水密凹条３４と水密凸条４０の係合の様子を示す説明図であ    る。
【図１０】変形例における嵌合凸部３６と嵌合凹部３８の係合箇所以外での水密凹条    ３４と水密凸条４０の係合の様子を示す説明図である。
【図１１】変形例の他の態様における表面と断面を示す説明図である。
【図１２】変形例の他の態様において、表面に段部を有するタイルを用いた事例の断    面を一部拡大図と共に示した説明図である。
【図１３】第１実施例の図７に相当し第２実施例の建材マット１００の接合の様子を    説明する説明図である。
【図１４】第１実施例の図８に相当し図１１と異なる箇所でのマット接合の様子を説    明する説明図である。
【図１５】タイルＴを縦横３列ずつ載置した建材マット１０の概略を示す斜視図であ    る。
【符号の説明】
【００６９】
１０...建材マット
１０Ｌ...左方マット
１０Ｒ...右方マット
２０...樹脂部材
２２...基部
２４...支持部
２６...脚
３０...目地部
３２...段部
３３...段部
３４...水密凹条
３６...嵌合凸部
３８...嵌合凹部
４０...水密凸条
４１...溝
１００...建材マット
１２０...支持部
１３０...第１目地部
１３２...第２目地部
１３３...水密凸条
１３４...水密凹条
Ｋ１...金型
Ｋ２...上型
ＭＪ...目地
Ｔ...タイル
ＴＤ...段部
【図１】
2005098044.tif 000004
【図２】
2005098044.tif 000005
【図３】
2005098044.tif 000006
【図４】
2005098044.tif 000007
【図５】
2005098044.tif 000008
【図６】
2005098044.tif 000009
【図７】
2005098044.tif 000010
【図８】
2005098044.tif 000011
【図９】
2005098044.tif 000012
【図１０】
2005098044.tif 000013
【図１１】
2005098044.tif 000014
【図１２】
2005098044.tif 000015
【図１３】
2005098044.tif 000016
【図１４】
2005098044.tif 000017
【図１５】
2005098044.tif 000018